(57)【特許請求の範囲】
【請求項１】
コピープロテクトされた信号を解読する解読手段と、この解読手段を制御する第１の制御手段とを含む解読モジュールと、
この解読モジュールで解読された信号に処理を施す信号処理手段と、この信号処理手段を制御する第２の制御手段とを含むユニットとが、内部に組み込まれてなるコピープロテクトされた信号の再生装置において、
前記第１の制御手段は、予め前記第２の制御手段から受け取って保持している識別情報と、前記第２の制御手段に設定されている識別情報とが一致した状態で、前記解読手段に解読動作を行なわせることを特徴とするコピープロテクトされた信号の再生装置。
【請求項２】
前記第１の制御手段は、前記第２の制御手段から受け取った識別情報を、書き替え不可能な状態で保持することを特徴とする請求項１記載のコピープロテクトされた信号の再生装置。
【請求項３】
前記第１の制御手段は、装置の電源がオンされる毎に、前記第２の制御手段に対して識別情報を要求し、前記第２の制御手段は、前記第１の制御手段からの要求がある毎に、識別情報を該第１の制御手段に供給することを特徴とする請求項１記載のコピープロテクトされた信号の再生装置。
【請求項４】
前記第２の制御手段は、装置の電源がオンされてから所定時間内に前記第１の制御手段から識別情報の要求がなかった場合、装置の電源を強制的にオフ状態に設定することを特徴とする請求項３記載のコピープロテクトされた信号の再生装置。
【請求項５】
前記解読モジュールのコネクタと、前記ユニットのコネクタとを直接接続し、その接続部分を樹脂または接着剤で封止したことを特徴とする請求項１記載のコピープロテクトされた信号の再生装置。
【請求項６】
コピープロテクトされた信号を解読する解読手段と、この解読手段を制御する第１の制御手段とを含む解読モジュールと、
この解読モジュールで解読された信号に処理を施す信号処理手段と、この信号処理手段を制御する第２の制御手段とを含むユニットとが、内部に組み込まれてなるコピープロテクトされた信号の再生装置において、
装置の電源がオンされたことを検出して、前記第１及び第２の制御手段の一方の制御手段が他方の制御手段に対して識別情報を要求する第１の工程と、
この第１の工程による識別情報の要求に対して、前記他方の制御手段が前記一方の制御手段に識別情報を出力する第２の工程と、
この第２の工程で最初に得られた識別情報を、前記一方の制御手段に書き替え不可能な状態で保持させる第３の工程と、
この第３の工程で予め前記一方の制御手段に保持されている識別情報と、前記第２の工程で前記他方の制御手段が前記一方の制御手段に出力する識別情報とを比較し、両者が一致した状態で前記解読手段に解読動作を行なわせる第４の工程とを有することを特徴とするコピープロテクトされた信号の再生方法。
【請求項７】
コピープロテクトされた信号を解読する解読手段と、この解読手段を制御する第１の制御手段とを含む解読モジュールと、
この解読モジュールで解読された信号に処理を施す信号処理手段と、この信号処理手段を制御する第２の制御手段とを含むユニットとが、内部に組み込まれてなるコピープロテクトされた信号の再生装置において、
装置の電源がオンされたことを検出して、前記第１及び第２の制御手段の一方の制御手段が他方の制御手段に対して識別情報を要求する第１の工程と、
この第１の工程による識別情報の要求に対して、前記他方の制御手段が前記一方の制御手段に識別情報を出力する第２の工程と、
この第２の工程で得られた識別情報と、予め前記一方の制御手段に保持されている識別情報とを比較し、両者が一致した状態で前記解読手段に解読動作を行なわせる第３の工程と、
前記装置の電源がオンされてから所定時間内に前記一方の制御手段から前記他方の制御手段に識別情報の要求がなかった場合、装置の電源を強制的にオフ状態に設定する第４の工程とを有することを特徴とするコピープロテクトされた信号の再生方法。
【発明の詳細な説明】
【０００１】
【発明の属する技術分野】
この発明は、コピープロテクトされた信号を受け取り、コピープロテクトを解いて再生処理を行なうコピープロテクトされた信号の再生装置に係り、特にそのコピープロテクトを解除するための解除モジュールがセット内部に組み込まれているものの改良に関する。
【０００２】
【従来の技術】
周知のように、多数のユーザに情報信号を伝送するシステムにおいては、情報信号の不正コピーを防止するために伝送信号にコピープロテクト処理を施し、受信側でコピープロテクトを解除して信号再生するようにしている。
【０００３】
例えば特開２０００−３５８２２７号公報等には、標準ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式のビデオ信号以外のアナログビデオ信号に対するコピープロテクトシステムが開示されている。
【０００４】
このコピープロテクトシステムでは、標準ＮＴＳＣ方式以外の形態のアナログビデオ信号にスクランブル処理を施すとともに、このスクランブルを解除するためのキー情報または接続相手を認証する情報等を用意している。
【０００５】
そして、送り手（ソース機器側）と受け手（シンク機器側）との間でキー情報や認証情報を交換することにより、シンク機器側におけるアナログビデオ信号のスクランブル解除の許可または不許可が決定される。
【０００６】
ところで、上記した公知例では、そのコピープロテクトを解除するための解除モジュールが、既存のＡＶ（Ａｕｄｉｏ  Ｖｉｄｅｏ）機器に外部アダプタとしてＲＣＡピン等を介して接続される構成となっている。
【０００７】
そして、この解除モジュールが不正コピーに使用されることを防止するための対策として、一度ＡＶ機器に取り付けたら、外すとそのコピープロテクト解除機能が失われるように構成している。
【０００８】
しかしながら、現在では、コピープロテクトの解除モジュールを、セットの内部に組み込んだシンク機器が出現してきている。そして、このようにシンク機器の内部に組み込まれた解除モジュールが、不正コピーに使用されることを防止することについては、まだ十分な対策がなされていないのが現状である。
【０００９】
なお、特開２０００−４４３３号公報には、パーソナルコンピュータ内の機能モジュール毎に認証確認を行ない、機能モジュール単位で使用可能なデジタルコンテンツを制限することが開示されている。
【００１０】
しかしながら、この公開公報には、上記したシンク機器の内部に組み込まれたコピープロテクトの解除モジュールが、不正コピーに使用されることを防止するための対策については、何らの記載もなされていないものである。
【００１１】
【発明が解決しようとする課題】
そこで、この発明は上記事情を考慮してなされたもので、装置内部に組み込まれたコピープロテクトの解除モジュールが、不正コピーに使用されることを防止するようにした極めて良好なコピープロテクトされた信号の再生装置を提供することを目的とする。
【００１２】
【課題を解決するための手段】
この発明に係るコピープロテクトされた信号の再生装置は、コピープロテクトされた信号を解読する解読手段とこの解読手段を制御する第１の制御手段とを含む解読モジュールと、この解読モジュールで解読された信号に処理を施す信号処理手段とこの信号処理手段を制御する第２の制御手段とを含むユニットとが、内部に組み込まれたものを対象としている。そして、第１の制御手段が予め第２の制御手段から受け取って保持している識別情報と、第２の制御手段に設定されている識別情報とが一致した状態で、解読手段に解読動作を行なわせるようにしたものである。
【００１３】
上記のような構成によれば、第１の制御手段が予め第２の制御手段から受け取って保持している識別情報と、第２の制御手段に設定されている識別情報とが一致した状態で、解読手段に解読動作を行なわせるようにしたので、装置内部に組み込まれたコピープロテクトの解除手段が、不正コピーに使用されることを防止することができる。
【００１４】
【発明の実施の形態】
以下、この発明の第１の実施の形態について図面を参照して詳細に説明する。図１は、この第１の実施の形態で説明するシンク機器１１の全体的な構成を示している。このシンク機器１１としては、例えばハイビジョン（ＨＤ）対応カラーテレビジョン受信機（ＣＴＶ）や、プロジェクションＴＶ（ＰＪＴＶ）、液晶プロジェクタＴＶ（ＬＣＤ−ＰＪＴＶ）等である。ここでは、例としてＣＴＶについて説明する。
【００１５】
このシンク機器１１は、主たる構成要素として、コピープロテクト解読モジュール１２と、このコピープロテクト解読モジュール１２の後段に設置され、信号処理やシンク機器１１全体の電源・制御等を行なうメインユニット１３と、このメインユニット１３で処理された信号を表示する表示部１４とを備えている。
【００１６】
この表示部１４は、ＣＲＴ（Ｃａｔｈｏｄｅ  Ｒａｙ  Ｔｕｂｅ）や液晶表示パネル等である。また、メインユニット１３は、シンク機器１１によっては２つあるいは３つに分割されている場合もある。ここでは簡略化のため１つのメインユニット１３で代表させている。
【００１７】
信号の流れとしては、まず、図示しないソース機器からコピープロテクト処理の施された信号１５が、シンク機器１１の信号入力端子１６に供給される。このコピープロテクト処理の施された信号１５としては、例えばデジタルビジュアルインターフェース（ＤＶＩ）等がある。信号入力端子１６は、ＤＶＩの例の場合は、ＤＶＩの入力端子となる。
【００１８】
このようにして、信号入力端子１６に供給されたコピープロテクト処理の施された信号１５は、コピープロテクト解読モジュール１２を構成するコピープロテクト解読器１７に入力される。このコピープロテクト解読器１７は、入力信号がデジタルの場合には、コピープロテクト解読処理とデジタル／アナログ変換処理とを含む場合もある。ここでは、簡略化して、コピープロテクト解読器１７と称することにする。
【００１９】
ここで、コピープロテクト解読モジュール１２は、上記コピープロテクト解読器１７、マイクロコンピュータ１８及びＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）１９を主な構成要素とし、シンク機器１１内部の信号入力端子１６に対応する背面部に一塊のブロックとして組み込まれ、シールドに覆われた形態になる。
【００２０】
特に、信号入力端子１６に供給されるコピープロテクト処理の施された信号１５が、デジタル伝送されたＤＶＩ信号である場合には、高速伝送・広帯域伝送であるため、コピープロテクト解読モジュール１２を、できるだけ信号入力端子１６と一体化した回路構成とするのが好ましい。また、この場合、コピープロテクト解読モジュール１２は、外部へのノイズ放射の面からシールドすることが望まれる。ただし、この第１の実施の形態においては、コピープロテクト解読モジュール１２のシールドについては図示していない。
【００２１】
この第１の実施の形態では、コピープロテクト解読モジュール１２とメインユニット１３とは、その出力コネクタ２０と入力コネクタ２１とが、ケーブル２２で接続されている。
【００２２】
このコピープロテクト解読モジュール１２とメインユニット１３とを接続するケーブル２２には、コピープロテクト解読器１７でコピープロテクトを解かれた信号を、メインユニット１３の信号処理回路２３に供給するための信号ライン２２ａと、コピープロテクト解読モジュール１２内のマイクロコンピュータ１８とメインユニット１３内のマイクロコンピュータ２４とを接続する制御ライン２２ｂと、メインユニット１３内の電源回路２５からの電源電力をコピープロテクト解読モジュール１２に供給するための電源ライン２２ｃ等が含まれる。
【００２３】
そして、コピープロテクト解読器１７でコピープロテクトを解かれた信号は、例えばＹ／Ｃｂ／Ｃｒ等であり、これらがコピープロテクト解読モジュール１２から出力されて、メインユニット１３に送られる。
【００２４】
ここで、コピープロテクト解読モジュール１２は、その形態や、信号入力端子１６の表示から、このモジュール１２がコピープロテクト解読機能を持つことはユーザが容易に類推可能である。このため、このシンク機器１１のキャビネットを開け、このコピープロテクト解読モジュール１２を取り外し、外部の録画機器等に接続することにより、不正コピーの生成を試みる悪質なユーザーが現れる可能性がある。
【００２５】
以下、このような不正コピーを目的とした改造・転用を如何に防止するかについて説明する。図２は、コピープロテクト解読モジュール１２内のマイクロコンピュータ１８と、メインユニット１３内のマイクロコンピュータ２４との動作をまとめたフローチャートを示している。
【００２６】
まず、シンク機器１１の電源がオンになって開始（ステップＳ２ａ）されると、マイクロコンピュータ１８は、ステップＳ２ｂで、電源がオンになったことを検出し、ステップＳ２ｃで、マイクロコンピュータ２４にＩＤ送信依頼を出力する。このＩＤとは、シンク機器１１に固有に割り付けられた識別番号あるいはコードであり、マイクロコンピュータ２４の内部に予め記憶されている。
【００２７】
すると、マイクロコンピュータ１８からのＩＤ送信依頼を受けたマイクロコンピュータ２４は、ステップＳ２ｄで、その内部に記憶しているＩＤをマイクロコンピュータ１８に送信する。そして、マイクロコンピュータ１８は、ステップＳ２ｅで、ＩＤを受信したか否かを判別し、受信していないと判断された場合、ステップＳ２ｆで、コピープロテクトの解読動作を行なわずに、終了（ステップＳ２ｌ）される。
【００２８】
また、ＩＤを受信したと判断された場合、マイクロコンピュータ１８は、ステップＳ２ｇで、コピープロテクト解読モジュール１２内のＥＥＰＲＯＭ１９に書き込み禁止フラグが立っているか否かを判別する。ここでの書込み禁止フラグとは、ＥＥＰＲＯＭ１９の特定のアドレスを指定して、そこにフラグが立っているか、立っていないかで書き込み禁止かどうかを定義するものである。
【００２９】
ここでは、このフラグは立っていない状態が初期値であるとする。このため、最初はフラグが立っていないので、マイクロコンピュータ１８は、ステップＳ２ｈで、受信したＩＤをＥＥＰＲＯＭの指定の場所に書き込む。これにより、メインユニット１３のマイクロコンピュータ２４に与えられていたシンク機器１１に固有のＩＤが、コピープロテクト解読モジュール１２内に転送され記憶されたことになる。そして、ＩＤがＥＥＰＲＯＭ１９に格納されると同時に、以後のＥＥＰＲＯＭ１９への書き込みを禁止するフラグを立てる。
【００３０】
次に、マイクロコンピュータ１８は、ステップＳ２ｉで、受信したＩＤとＥＥＰＥＯＭ１９内に記憶されたＩＤとが一致するか否かを判別し、一致しないと判断された場合、ステップＳ２ｆの処理に移行される。
【００３１】
また、一致したと判断された場合、マイクロコンピュータ１８は、ステップＳ２ｊで、コピープロテクト解読器１７に解読動作開始を指示する。これにより、ステップＳ２ｋで、コピープロテクト解読器１７は、解読動作を実行し、その結果をメインユニット１３に出力して、終了（ステップＳ２ｌ）される。
【００３２】
次回に電源がオンされると、図２のフローチャートにおいて、マイクロコンピュータ１８がマイクロコンピュータ２４からＩＤを受信するまでは、上記した第１回目の電源オン時と同じ動作であるが、マイクロコンピュータ１８がＩＤを受信し、ステップＳ２ｇでＥＥＰＲＯＭ１９の書き込み禁止フラグをチェックすると、既にフラグが立っているために、ステップＳ２ｈでの新たな書込み禁止フラグの書き込み動作は行なわれずに、ステップＳ２ｉの受け取ったＩＤとＥＥＰＲＯＭ１９内のＩＤとが一致するか否かの判別が行なわれる。以下、上記と同じ動作である。
【００３３】
もし、不正コピーを目的として、このコピープロテクト解読モジュール１２をシンク機器１１のキャビネットを開けて取り外し、他の記録機器に取り付けた場合、電源電圧の供給までは何とか成功したとしても、いざ解読動作をさせようと試みた場合、マイクロコンピュータ１８は電源オンを検知した後、マイクロコンピュータ２４にＩＤ送信依頼を出力する。
【００３４】
しかし、ＩＤは送信されてこないか、あるいは全く一致しないＩＤ（ノイズ等）が送られるかであるため、コピープロテクト解読器１７に解読動作開始の指示を出さない。このため、コピープロテクトの解読動作は行なわれないことになる。この図２に示した動作ルーチンをＡルーチンと呼ぶことにする。
【００３５】
この第１の実施の形態では、構成要素としてＥＥＰＲＯＭ１９を挙げたが、ＩＤを格納する意図をより象徴的に示すために挙げたもので、ＩＤの格納には、マイクロコンピュータ１８内部のメモリを活用することでも代用可能である。
【００３６】
次に、この発明の第２の実施の形態について説明する。この第２の実施の形態では、構成は第１の実施の形態と同じである。図３に示すフローチャートを用いて、その動作を説明する。
【００３７】
この第２の実施の形態では、第１の実施の形態でマイクロコンピュータ１８がマイクロコンピュータ２４からのＩＤとの照合動作によって、コピープロテクト解読器１７の解読動作を許可すると言うＡルーチンはそのままで、これに付加する形で、マイクロコンピュータ２４もマイクロコンピュータ１８からのＩＤ送信依頼の有り無しを検知することにより、コピープロテクト解読モジュール１２の存在を確認し、存在が確認されなければ、コピープロテクト解読モジュール１２が取り外されたものと判断し、このシンク機器１１の電源をオフさせるようにしたものである。
【００３８】
以下、図３にて詳細に説明する。すなわち、メインユニット１３内のマイクロコンピュータ２４は、シンク機器１１の制御を司るマイクロコンピュータであって、このシンク機器１１の電源オンもマイクロコンピュータ２４の指示によりなされる。
【００３９】
このため、開始（ステップＳ３ａ）されると、マイクロコンピュータ２４は、ステップＳ３ｂで、シンク機器１１全体の電源をオンさせる指示を出し、電源回路２５がセット電源をオンさせる。これをマイクロコンピュータ１８が検知し（ステップＳ３ｃ）、図２の流れと同様に、マイクロコンピュータ２４にＩＤ送信依頼を出力する（ステップＳ３ｄ）。
【００４０】
マイクロコンピュータ２４は、ステップＳ３ｅで、自身がセット電源ＯＮの指示を出した後、所定の時間（例えば１〜２秒等）だけＩＤ送信依頼がくるのを待つ。所定の時間内にＩＤ送信依頼がくれば（ステップＳ３ｆ）、図２での説明と同じ手順となる。つまり、図３におけるステップＳ３ｇ〜ステップＳ３ｎは、図２に示したステップＳ２ｄ〜ステップＳ２ｋと同じである。
【００４１】
もし、ステップＳ３ｆで所定の時間内にＩＤ送信依頼が届かないと判断された場合、マイクロコンピュータ２４は、ステップＳ３ｏで、コピープロテクト解読モジュール１２が取り外された可能性があると判断し、ステップＳ３ｐで、電源回路２５に電源オフの指示を出し、ステップＳ３ｑで、セット電源を強制的にオフさせて、終了（ステップＳ３ｒ）される。この図３に示した動作ルーチンをＢルーチンと呼ぶことにする。
【００４２】
これにより、コピープロテクト解読モジュール１２を取り外した場合には、コピープロテクトモジュール１２自体を他の機器に転用することができないばかりか、残ったシンク機器１１自体が電源オフ状態になり使えなくなる。このため、不正改造へのペナルティーを与えることが可能になり、不正改造を抑止する効果が期待できる。
【００４３】
この発明の第３の実施の形態として、このコピープロテクト解読モジュール１２をオプションとして、アフターサービス対応で販売後に取り付ける場合について、図４を用いて説明する。図４では、サービスマンが、行なう手順をフローチャートにして示している。
【００４４】
まず、開始（ステップＳ４ａ）されると、サービスマンは、ステップＳ４ｂで、コピープロテクト解読モジュール１２をシンク機器１１に後から追加取り付けを行なう。次に、サービスマンは、ステップＳ４ｃで、図２で述べたＡルーチンを実行させ、ステップＳ４ｄで、正常動作することを確認する。
【００４５】
そして、サービスマンは、ステップＳ４ｅで、メインユニット１３内のマイクロコンピュータ２４の所定のピンをプルアップし、このシンク機器１１にコピープロテクト解読モジュール１２が付加された設定にセットする。その後、サービスマンは、ステップＳ４ｆで、図３で述べたＢルーチンを実行させ、ステップＳ４ｇで、正常に動作したことが確認されたら、ステップＳ４ｈで、マイクロコンピュータ２４の先にプルアップした部分を樹脂封止して、終了（ステップＳ４ｉ）される。樹脂封止の代わりに、接着剤により固めることも有効である。
【００４６】
次に、この発明の第４の実施の形態について説明する。この第４の実施の形態は、先に説明した第１乃至第３の実施の形態のいずれの構成にも、さらに１つの要素を加味することで、より強固な不正コピー防止効果を図るようにしたものである。
【００４７】
すなわち、図５に示すように、コピープロテクト解読モジュール１２とメインユニット１３とを繋ぐ部分をケーブル２２ではなく、コネクタ２０，２１による直接接続としている。そして、コネクタ２０，２１の接合部分を樹脂２６で封止するか、接着剤で覆う。
【００４８】
さらに、コネクタ２０，２１のピンが基板に半田付けされて露出されているモジュール１２の基板裏側及びメインユニット１３の基板裏側にも、同様に樹脂封止もしくは接着剤を塗布し、これらを覆う。これによって、より物理的に強固に固定されるために、無理に機械的に取り外そうとすると、基板、コネクタ部、メインユニットいずれかに機械的な破損が発生することで、更なる不正コピー抑制効果を得ることができる。
【００４９】
また、上記した各実施の形態では、コピープロテクト解読モジュール１２のマイクロコンピュータ１８が、メインユニット１３のマイクロコンピュータ２４に要求してＩＤを受け取ることにしているが、これは、メインユニット１３のマイクロコンピュータ２４が、コピープロテクト解読モジュール１２のマイクロコンピュータ１８に要求してＩＤを受け取るようにしても良いものである。
【００５０】
なお、この発明は上記した各実施の形態に限定されるものではなく、この外その要旨を逸脱しない範囲で種々変形して実施することができる。
【００５１】
【発明の効果】
以上詳述したようにこの発明によれば、装置内部に組み込まれたコピープロテクトの解除モジュールが、不正コピーに使用されることを防止するようにした極めて良好なコピープロテクトされた信号の再生装置を提供することができる。
【図面の簡単な説明】
【図１】この発明の第１の実施の形態を説明するために示すブロック構成図。
【図２】同第１の実施の形態における動作を説明するために示すフローチャート。
【図３】この発明の第２の実施の形態を説明するために示すフローチャート。
【図４】この発明の第３の実施の形態を説明するために示すフローチャート。
【図５】この発明の第４の実施の形態を説明するために示すブロック構成図。
【符号の説明】
１１…シンク機器、
１２…コピープロテクト解読モジュール、
１３…メインユニット、
１４…表示部、
１５…コピープロテクト処理の施された信号、
１６…信号入力端子、
１７…コピープロテクト解読器、
１８…マイクロコンピュータ、
１９…ＥＥＰＲＯＭ、
２０…出力コネクタ、
２１…入力コネクタ、
２２…ケーブル、
２３…信号処理回路、
２４…マイクロコンピュータ、
２５…電源回路、
２６…樹脂。
【図１】
0003609782.tif 000002
【図２】
0003609782.tif 000003
【図３】
0003609782.tif 000004
【図４】
0003609782.tif 000005
【図５】
0003609782.tif 000006